(57)【要約】      （修正有）【課題】グランド・広場等へ雑草の侵入を防ぎ、荒れた表面の手入れ不要の構造と施工手段を提供する。【解決手段】下層の砕石を敷詰めた上の基層・上層の各部を真砂土・山砂等の土砂と樹皮粉砕基材を一層あるいは互層状に積層させ、その積層の厚さは使用量等任意でよく、特定はしないが表層近くへ当該難腐敗性樹皮粉砕基材を多く使用する。【選択図】なし【特許請求の範囲】
【請求項１】
表層及び基層・上層の各部まで透水性のある土砂と樹皮粉砕基材を互層状に積層させた各種グランド又は広場。
【請求項２】
上層又は基層部分に樹皮粉砕基材と土砂をブレンド又は混和した材料を敷きつめた各種グランド又は広場。
【請求項３】
表層部分に砂又は山砂・細粒土等を散布又は敷きつめて転圧をかける請求項１及び請求項２の施工方法。
【請求項４】
表層下１〜２０ｃｍまでの深さの互層中で一部上層部へ樹皮粉砕基材に土砂及び塩化化合物・アスファルトまたは油土を少なくとも一種類以上ブレンド又は混和した材料を使用した各種グランド又は広場。
【請求項５】
請求項１から請求項４までの各層から選択された一か所以上の層へ保水性ポリマー又は無機・有機保水剤の含んだ材料を積層させた各種グランド又は広場。
【発明の詳細な説明】
【発明の詳細な説明】
【技術分野】
【０００１】  本発明は我々が常日頃利用するグランドまたは公園の広場・ゲートボール場等の雑草の除草作業に多大な労力又は費用をかけ維持管理してきている経緯があった。そのような苦労を改善し、また防虫防菌効果も有することから健康でより安心して利用できる施設を提供する事を目的として開発されたものである。
【背景技術】
【０００２】  通常のグランド・広場・ゲートボール場等は下層に砕石を入れ、上層へ細かい眞砂土を入れて転圧をかけて仕上げることがマニュアルとして確立されている。
しかし上層の眞砂土だけでは次第に目詰まりを起こして雨水が溜まり、植物の生育に適した環境が整ってくることになる。目詰まりを起こさないにしても砕石の空隙等も含めて気相率が高いため植物の根には絶好の生育環境を提供していることになる。
以上のマニュアル化した植物の好環境であるグランド・広場等の構造を見直し改善することで雑草の侵入を阻止することが可能であったので以下に公開・提供する事とした。【０００３】
【特許文献１】特願平１０−１４５００１号公報
【特許文献２】特願２００１−１８５６３９号公報
【特許文献３】特願２００５−４０２５２６号公報
【非特許文献１】農山漁村文化協会「アレロパシー・多感物質の作用と利用」
【発明が解決しようとする課題】
【０００４】  本発明は、上記課題を中心にグランド・広場等へ雑草の侵入を防ぎ、荒れた表面の手入れ不要の構造と施工手段を課題として、研究をすすめた。
【課題を解決するための手段】
【０００５】  わが国での製材所からの廃材とりわけ樹皮に関しては数百万トン／年もの排出量が確認されている。端材等は燃料等として利用されているが、枝葉は原木から除去され伐採された現地へ置かれ、腐敗して山に戻す様な考え方をとっている。
または樹皮等は製材所から一時破砕で粗めに粉砕されて排出されてくるが、再度二次破砕をかけて粉砕し、より細かくしたものを堆肥化して吹付けまたは農業用肥料として利用されてきた経緯がある。
また植物樹木の中で種の繁栄のため他の種を寄せ付けないで排除する能力・作用を持つ種も報告されている。例えば彼岸花の群落、せいたかアワダチソウ等などがそれらであろう。そんな中、杉・檜・ヒバ等の森林をみるとやはり他の種が入り込み難い何かがあるらしく、林の中は蒼然としている事がわかる。植生しているのは特定した湿気を好むうわばみ草・どくだみ等の背の低い草だけなのである。
杉・檜・ヒバ等には元来、防虫防菌効果の高い成分テルペン・ピネン・ジペテン・スギオール・ヒノキオール等を多数含有している事が知られている。これら成分が虫や細菌だけではなく、異種の植物にも防除する作用を有しているものである。
以上のその様な作用を総称してアレロパシーと命名されているようである。
請求項１は、下層の４０ｍｍ砕石を敷詰めた上の基層・上層の各部を真砂土・山砂等の透水性のある土砂と樹皮粉砕基材を互層状に積層させた状態の運動用グランド・ゲートボール場又は保育園・幼稚園等の広場や公園などに利用できるものである。積層の厚さは使用量等は任意でよく、特定はしないが表層近くへ樹皮粉砕基材を多く使用した方が効果的である。表層へは山砂または透水係数の高い山土・川砂等を中心にした材料を使用して仕上げとするのが望ましい。尚当該請求項には下層の砕石の使用は特段意味を持つものではない。
請求項２は、上層又は基層部分に樹皮粉砕基材と真砂土・山砂または透水係数の高い山土等の土砂を搬入し、それらを機械的にブレンド又は混和してできた材料を敷きつめ転圧をかけた各種グランド又は広場。ブレンド・混和比は任意で良いし、特定はしないが樹皮粉砕基材を多く３０〜７０％前後までの使用が効果的である。７０％前後を超えると樹皮基材の安定性が崩れ、表面へ剥き出しになるリスクがあり、維持管理が多くかかる可能性が高い。
請求工３は、グランド地表面の表層部分に砂又は山砂・細粒土等を散布又は敷きつめて転圧をかけ安定するまでの間の飛散防止効果を期待できるものである。
請求項４は、表層下１〜２０ｃｍまでの深さの互層中で一部表層に接する上層部へ樹皮粉砕基材に土砂・塩化化合物・アスファルトまたは油土を少なくとも一種類以上ブレンド又は混和した材料を使用した各種グランド又は広場とは例えば当該樹皮基材とストレートアスファルトまたは油土を表層下に薄く１０ミリメートルで一層を形成する事で該基材のバラけを防止し、安定させることができるし、塩化化合物も同様の効果を得ることが可能である。また、土砂の中でもシルト分が多い土砂を利用することでも同様の効果を得ることが可能である。また、施工地盤状況によって土砂の中でも透水係数の高い資材をも利用可能で、あらゆる希望条件に対応可能となる。
請求項５は、上記全般の各層から選択された一か所以上の層へ保水性ポリマー又は無機有  機保水剤の含んだ透水性を有する土砂を積層させた各種グランド又は広場とは下層の通常砕石を利用する層に無機保水剤を利用でき、グランドの乾燥を防止できる。また、表層直下に有機ポリマー等を使用することで表面の乾燥と飛砂を抑制できる。
以上のこれら全般については杉林・ヒノキ林等思い浮かべて頂ければ利用可能な技術であることが判断できる。
【実施例】
【０００９】  通常、下層の４０ｍｍ砕石を敷詰めた上の基層・上層の各部を真砂土・山砂等の土砂と樹皮粉砕基材を互層状に積層させた状態の運動用グランド・ゲートボール場又は保育園・幼稚園等の広場や公園などに利用できるものである。積層の厚さは使用量等で任意でよく、特定はしないが表層近くへ樹皮粉砕基材を多く使用した方が効果的である。表層へは山砂または透水係数の高い山土・川砂等を中心にした材料を使用して仕上げとするのが望ましい。
以下、特定するものではないが、四年ほど前に試験施工したグランドの一角１０メートル四方・深さ１００ｍｍへ配合比四割の基材を混入した状態の現場を追跡調査した結果、他の条件も多少考えられるがその区域だけがいまだ雑草の発芽が確認されていない状況である。「他の条件」とはグランド上で子供たちが遊び回る事により発芽しそうな芽を踏みつけにされる可能性を含めて、通常の利用の仕方での発芽が確認されていない事は事実であるので評価の仕方に違いがあるにせよ、通常の利用の仕方で草取りしなくて良いことに変わりのないことである。
【発明の効果】
【００１０】以上の利用の仕方でグランド・広場・ゲートボール場等の管理で四年以上草取りをしなくて良くなったのと併せて、特に雨上がりには使用されて荒れたグランドが奇麗に整地された状態に戻り、ローラーかけ・トンボかけ等の手入れが不要となったことが最大の特長である。
雨上がりにその様な状態になるメカニズムは、当該樹皮粉砕基材の利用により、雨水がグランドに浸透し、当該基材の空隙に入り込み膨潤状態になり、地表面を押し上げる事による効果と判断できるものである。いわゆる潰れたスポンジが水を吸収する事で膨らみ、膨らんだ状態を保って雨水が抜けてしまった状態をわれわれ人間が利用でき、また、利用する事でスポンジが潰れ、それを繰り返していることになる。
上記効果は、雨水のその様な作用により、クッション性がリフレッシュされ、特に子供達の運動や遊び場として足に負担が掛からず、より安全で安心できる施設としての提供が可能となるものでもある。
近年、産廃のリサイクルが盛んに提唱されてきている経緯があるが、下層にバージンの砕石以外にコンクリート砕石及び溶融スラグ等の代替え品も利用可能であり、循環社会として積極的に活用すべきであろう。
また、当該申請の意義は維持管理不要の施設の構造であり、その他の効果は付帯したものである。